(57)【要約】【課題】  プリンタ装置において、一枚の用紙に複数の画像が配置された印刷データを作成する際に、画像の選択と配置を行いやすくすること。【解決手段】  一枚の用紙に複数の画像が配置された印刷データを作成する際のレイアウト方法である。互いに通信可能なプリンタ装置と撮像装置において、プリンタ装置の表示画面に表示された枠で画像挿入先を指定する。撮像装置で転送対象画像を選択すると、撮像装置からプリンタ装置へ画像が転送される。プリンタ装置の表示画面に表示されたレイアウト枠の個数分、撮像装置からプリンタ装置への画像転送を行う。【選択図】  図４
2009129343.tif 000002
【特許請求の範囲】
【請求項１】
互いに通信可能なプリンタ装置と撮像装置を備えるプリントシステムにおいて、
一枚の用紙に複数の画像が配置されたマルチレイアウト印刷データを作成する場合に、プリンタ装置のユーザーインターフェース画面で画像挿入先となるレイアウト枠を選択し、撮像装置で送信対象画像を選択するマルチレイアウト画像データのレイアウト手段を備えることを特徴とするプリントシステム。
【請求項２】
互いに通信可能なプリンタ装置と撮像装置を備えるプリントシステムにおいて、
一枚の用紙に複数の画像が配置されたマルチレイアウト印刷データを作成する場合に、プリンタ装置のユーザーインターフェース画面を印刷イメージ確認手段、撮像装置のユーザーンターフェース画面を操作手段として用いるマルチレイアウト画像データのレイアウト手段を備えることを特徴とするプリントシステム。
【請求項３】
請求項１又は請求項２に記載のプリントシステムにおいて、プリンタ装置のユーザーインターフェース画面に表示したレイアウトフォーム内のレイアウト枠から、画像挿入先となるレイアウト枠をプリンタ装置が自動で指定することを特徴とするプリントシステム。
【請求項４】
請求項１又は請求項２に記載のプリントシステムにおいて、プリンタ装置のユーザーインターフェース画面に表示したレイアウトフォーム内のレイアウト枠から、画像挿入先となるレイアウト枠をユーザーが手動で指定することを特徴とするプリントシステム。
【請求項５】
請求項１又は請求項２に記載のプリントシステムにおいて、撮像装置で選択した画像データをプリンタ装置へ送信中は、撮像装置とプリンタ装置共に同一の画像を送受信中であることをユーザーインターフェースに表示してユーザーに明示することを特徴とするプリントシステム。
【請求項６】
請求項１又は請求項２に記載のプリントシステムにおいて、画像データを印刷データに変換する処理が撮像装置に備わっていない場合、撮像装置は画像データをプリンタ装置へ送信し、プリンタ装置において画像データを印刷データに変換する処理を行うことを特徴とするプリントシステム。
【発明の詳細な説明】
【技術分野】
【０００１】
本発明は、互いに通信可能なプリンタ装置と撮像装置とを用いたプリントシステムにおいて、一枚の用紙に複数の画像が配置されたマルチレイアウト印刷データを作成する際の、画像レイアウト方法に関する。
【背景技術】
【０００２】
今日、撮像装置とプリンタ装置を直接接続し、パーソナルコンピュータ無しで写真を印刷可能なプリントシステムが提供されている。
【０００３】
また、プリンタ装置にメモリーカードを直接挿入し、パーソナルコンピュータ無しで写真を印刷可能なプリントシステムも提供されている。
【０００４】
このようなプリントシステムによれば、一枚の写真を一枚の用紙に印刷するだけでなく、複数の写真を一枚の用紙に印刷したり、飾りとレイアウト枠の中に任意の写真を埋め込んで印刷することができる。
【０００５】
飾りとレイアウト枠の中に任意の写真を埋め込んで印刷する方法は幾つかある。レイアウトに関するものでは、飾りが選択出来るもの、レイアウト枠の形とサイズを選択できるもの、レイアウト枠の数を選択できるものがある。
【０００６】
飾りやレイアウト枠を表示するものでは、新規のレイアウト情報を作成し、レイアウト画像生成手段に用いられるフォームとして登録する。これにより、レイアウト画像生成手段に用いられるフォームを新規に登録することができるので、各種の送信画像や印刷物に対応する様々なレイアウトのフォームを提供することができる。（特許文献１参照）。
【特許文献１】特開２００５−６３０３１号公報
【発明の開示】
【発明が解決しようとする課題】
【０００７】
複数の写真を一枚の用紙に印刷するためのレイアウトフォームは、プリンタ装置の記憶装置内に格納されており、使用者はプリンタ装置が規定した幾つかのレイアウトフォームの中から使用するレイアウトフォームを選択する。
【０００８】
レイアウトフォームを選択した後は、使用者は任意の写真を選択してレイアウトフォームの中に埋め込んで行く。特許文献１に記載されている方法では、任意のレイアウトフォームを登録することが出来るが、任意の画像はレイアウトフォームとは別のファイル選択メニューから呼び出さねばならず、ユーザーにとって、簡便に任意の画像を選択できるものではない。
【０００９】
このように、従来の複数の写真を一枚の用紙に印刷する方法では、レイアウトフォームを選択した後に、レイアウトフォームとは別のファイル選択メニューを用いて埋め込む画像を選択する必要がある。そのため、使用者にとって使い勝手の良い、プリントシステムを提供することができなかった。
【００１０】
本発明は上記問題点に鑑みて成されたものであり、一枚の用紙に複数の画像が配置されたマルチレイアウト印刷データを作成する場合に、埋め込み画像の選択を行いやすくすることを第１の目的とする。
【００１１】
更に、プリンタ装置に繋がれた撮像装置にマルチレイアウト印刷データ作成機能が無い場合、プリンタ装置のマルチレイアウト印刷データ作成機能を使用することで、マルチレイアウト印刷を可能とすることを第２の目的とする。
【課題を解決するための手段】
【００１２】
上記第１の目的を解決するために、互いに通信可能なプリンタ装置と撮像装置を備えるプリントシステムにおいて、一枚の用紙に複数の画像が配置されたマルチレイアウト印刷データを作成する場合に、プリンタ装置のユーザーインターフェース画面に表示したレイアウトフォーム内のレイアウト枠から、画像挿入先となるレイアウト枠をプリンタ装置が自動で指定することを特徴とする。
【００１３】
互いに通信可能なプリンタ装置と撮像装置を備えるプリントシステムにおいて、一枚の用紙に複数の画像が配置されたマルチレイアウト印刷データを作成する場合に、プリンタ装置のユーザーインターフェース画面に表示したレイアウトフォーム内のレイアウト枠から、画像挿入先となるレイアウト枠をユーザーが手動で指定することを特徴とする。
【００１４】
互いに通信可能なプリンタ装置と撮像装置を備えるプリントシステムにおいて、一枚の用紙に複数の画像が配置されたマルチレイアウト印刷データを作成する場合に、撮像装置で選択した画像データをプリンタ装置へ送信中は、撮像装置とプリンタ装置共に同一の画像を送受信中であることをユーザーインターフェースに表示してユーザーに明示することを特徴とする。
【００１５】
上記第２の目的を解決するために、互いに通信可能なプリンタ装置と撮像装置を備えるプリントシステムにおいて、一枚の用紙に複数の画像が配置されたマルチレイアウト印刷データを作成する場合に、プリンタ装置のユーザーインターフェース画面で画像挿入先となるレイアウト枠を選択し、撮像装置で送信対象画像を選択することを特徴とする。
【００１６】
互いに通信可能なプリンタ装置と撮像装置を備えるプリントシステムにおいて、一枚の用紙に複数の画像が配置されたマルチレイアウト印刷データを作成する場合に、画像データを印刷データに変換する処理が撮像装置に備わっていない場合、撮像装置は画像データをプリンタ装置へ送信し、プリンタ装置において画像データを印刷データに変換する処理を行うことを特徴とする。
【００１７】
互いに通信可能なプリンタ装置と撮像装置を備えるプリントシステムにおいて、一枚の用紙に複数の画像が配置されたマルチレイアウト印刷データを作成する場合に、プリンタ装置のユーザーインターフェース画面を印刷イメージ確認手段、撮像装置のユーザーンターフェース画面を操作手段として用いることを特徴とする。
【発明の効果】
【００１８】
本発明によれば、プリンタ装置において一枚の用紙に複数の画像が配置された印刷データを作成する際に、画像の選択と配置を行い易くすることができる。
【００１９】
更に、プリンタ装置に繋がれた撮像装置にマルチレイアウト印刷データ作成機能が無い場合でも、プリンタ装置のマルチレイアウト印刷データ作成機能を使用することで、マルチレイアウト印刷を可能とすることができる。
【発明を実施するための最良の形態】
【００２０】
以下、添付図面を参照して本発明を実施するための最良の形態を詳細に説明する。ただし、本形態において例示される構成部品の寸法、形状、それらの相対配置などは、本発明が適用される装置の構成や各種条件により適宜変更されるべきものであり、本発明がそれらの例示に限定されるものではない。
【００２１】
図１は、本実施の形態に係るプリントシステムのプリンタ装置１と撮像装置２とを係合した際のユーザーインターフェースの表示例を示す図である。
【００２２】
プリンタ装置１は液晶表示器１０６に撮像装置２と接続されていることを明示する文字やアイコンを表示しており、撮像装置２は液晶表示器２０６にプリンタ装置２と接続されていることを明示する文字やアイコンを表示している。
【００２３】
本実施の形態では説明を簡単なものとするため、プリンタ装置１と撮像装置２とは予めＵＳＢインターフェース、ＰｉｃｔＢｒｉｄｇｅ（登録商標）プロトコルで接続しているものとする。しかし、本実施の形態に供するインターフェース及びプロトコルは、ＵＳＢインターフェース及びＰｉｃｔＢｒｉｄｇｅプロトコルに限ったものでなく、他のインターフェースやプリントプロトコルを持つ通信規格でも構わない。
【００２４】
図２は、本実施の形態に係るプリンタ装置の一例として、代表的にプリンタ装置１の構成を示すブロック図である。同図において、１０１はプリンタ装置１全体の制御を司るＣＰＵであり、１０２はＣＰＵ１０１のワークエリアとして使用されるＲＡＭである。１０３はＣＰＵ１０１の処理手順を記憶しているＲＯＭであり、例えばフラッシュメモリなどの書き換えが可能な不揮発性メモリで構成される。１０４は画像処理部であり、デジタル画像データ等をプリント可能なデジタルデータに変換するために用いられる。
【００２５】
１０５は各種表示を行うための表示制御部である。１０６は液晶表示器であり、デジタル画像データの確認や各種設定を行う際のユーザーインターフェースを表示するために使用される。１０７は発光ダイオードであり、プリンタ装置１の処理状態を示すインジケーターとして使用される。
【００２６】
１０８は外部記憶装置の制御部であり、メモリソケット１０９に挿入されたコンパクトフラッシュ（登録商標）やメモリースティック等の記憶媒体に記憶されているデジタルデータの読み込み及び記憶媒体へのデジタルデータの書き出しの制御を行う。
【００２７】
１１０は各種操作を行うボタン等の操作制御部であり、操作キー１１１、操作ボタン１１２の操作情報をＣＰＵ１０１へ伝える。１１３はプリンタ装置１のプリンタ機能のプリンタ制御部であり、プリンタエンジン１１４でデジタルデータのプリントを行う。１１５はＵＳＢインターフェースの制御部であり、ＵＳＢコネクタ１１６を介して他のＵＳＢインターフェースを持つ装置と接続することができる。
【００２８】
図３は、本実施の形態に係る撮像装置の一例として、代表的に撮像装置２の構成を示すブロック図である。
【００２９】
同図において、２０１は撮像装置２全体の制御を司るＣＰＵであり、２０２はＣＰＵ２０１のワークエリアとして使用されるＲＡＭである。２０３はＣＰＵ２０１の処理手順を記憶しているＲＯＭであり、例えばフラッシュメモリ等の書き換えが可能な不揮発性メモリで構成される。２０４は画像処理部であり、撮像された画像をデジタル画像データに変換するために用いられる。
【００３０】
２０５は各種表示を行うための表示制御部である。２０６は液晶表示器であり、撮像した画像の確認及び各種設定を行う際のユーザーインターフェースを表示するために使用される。２０７は発光ダイオードであり、撮像装置２の処理状態を示すインジケーターとして使用される。
【００３１】
２０８は外部記憶装置の制御部であり、メモリソケット２０９に挿入されたコンパクトフラッシュ（登録商標）やメモリースティック等の記憶媒体へのデジタルデータの書き出し及び記憶媒体に記憶されているデジタルデータの読み込みの制御を行う。
【００３２】
２１０は各種操作を行うボタン等の操作制御部であり、操作キー２１１、操作ボタン２１２の操作情報をＣＰＵ２０１へ伝える。
【００３３】
２１３は撮像素子、２１４は撮像装置２の撮像素子２１３の制御を行う撮像素子制御部である。２１６は主としてレンズ及びその駆動系で構成される光学ユニット、２１５は光学ユニット２１６の制御を行う光学ユニット制御部である。２１７はＵＳＢインターフェースの制御部であり、ＵＳＢコネクタ２１８で他のＵＳＢインターフェースを持つ装置と接続することができる。
【００３４】
次に、上記構成を有するプリンタ装置１と撮像装置２において、マルチレイアウト枠を選択してからマルチレイアウト画像の印刷を行うまでの方法について説明する。
【００３５】
図４は液晶表示器１０６を備えたプリンタ装置１と液晶表示器２０６を備えた撮像装置２との間で、マルチレイアウト枠を選択してからマルチレイアウト画像の印刷を行うまでの処理を並列して示すフローチャートである。
【００３６】
まず、プリンタ装置１では、操作キー１１１及び／またはボタン１１２を操作して、マルチレイアウトフォームを選択する（ステップＳ１０１）。プリンタ装置１は指定されたレイアウト枠を液晶表示器１０６に表示し（ステップＳ１０２）、一枚目画像データの挿入先となるレイアウト枠を指定する（ステップＳ１０３）。プリンタ装置１は印刷用紙の種類や印刷用紙のサイズ情報を含む印刷設定を撮像装置２へ送信する（ステップＳ１０４）。
【００３７】
撮像装置２はステップＳ２０１で、メモリソケット２０９に挿入されている記憶媒体に記憶されているデジタル画像データを液晶表示器２０６に表示している。撮像装置２は前記プリンタ装置１より送られた印刷設定を受信し（ステップＳ２０２）、撮像装置２に接続されているプリンタ装置１の印刷用紙の種類や印刷用紙のサイズ情報を含む印刷設定を記憶する（ステップＳ２０３）。
【００３８】
プリンタ装置１は指定されたレイアウト枠に挿入する画像データ要求を撮像装置２へ送信する（ステップＳ１０５）。該画像データ要求を受信した撮像装置２は（ステップＳ２０４）、メモリソケット２０９に挿入されている記憶媒体に記憶されているデジタル画像データの中から、指定されたレイアウト枠に挿入する一枚目画像データを選択する（ステップＳ２０５）。
【００３９】
説明を分かりやすくするために、プリンタ装置１で指定されたレイアウト枠に挿入する画像データを撮像装置２で選択する際のプリンタ装置１及び撮像装置２のユーザーインターフェース表示の例を、図５を用いて説明する。
【００４０】
プリンタ装置１はレイアウトフォームとして二つの画像レイアウト枠を持つカレンダーを表示している。図５の例では、プリンタ装置１は二つあるレイアウト枠の一方を、デフォルトの画像挿入先として表示枠を強調して表示している。図５の例では画像挿入先のレイアウト枠はプリンタ装置１がデフォルトとして指定しているが、画像挿入先のレイアウト枠の指定はユーザーがプリンタ装置１の操作キー１１１を操作して行っても良い。
【００４１】
撮像装置２は操作キー２１１を操作してレイアウト枠に挿入する画像データを選択している。選択中の画像データは他の画像データより拡大するか表示枠を強調して、ユーザーに対し選択中であることを明示している。
【００４２】
撮像装置２は一枚目画像データを選択後、プリンタ装置１へ一枚目画像データを送信する（ステップＳ２０６）。一枚目画像データを受信したプリンタ装置１は（ステップＳ１０６）、受信画像データをＲＡＭ１０２に記憶し、受信画像データを指定されたレイアウト枠内に表示する（ステップＳ１０７）。
【００４３】
説明を分かりやすくするために、撮像装置２で選択した一枚目画像データをプリンタ装置１へ送信中のユーザーインターフェース表示の例を図６を用いて説明する。撮像装置２はイアウト枠に挿入する一枚目の画像データとして画像７を選択している。画像７を受信中のプリンタ装置１と、画像７を送信中の撮像装置２とは、共に画像７を送受信中であることをステータスバーとして表示し、ユーザーに対し選択中であることを明示している。
【００４４】
プリンタ装置１は、全てのレイアウト枠に挿入する画像データが取得されたかを判断する（ステップＳ１０８）。画像データが全て取得されていない場合（ステップＳ１０８でＮＯの場合）は、画像データが空のレイアウト枠へと指定レイアウト枠を移動し（ステップＳ１０９）、ステップ１０５へ戻る。
【００４５】
説明を分かりやすくするために、撮像装置２で選択した一枚目画像データをプリンタ装置１へ送信した後のユーザーインターフェース表示の例を図７を用いて説明する。一枚目の画像データである画像７を受信したプリンタ装置１は、一枚目の画像データ挿入先として指定されたレイアウト枠に画像７を表示している。また、二枚目の画像データ挿入先として、空いているレイアウト枠を画像挿入先として表示枠を強調して表示している。
【００４６】
プリンタ装置１は指定されたレイアウト枠に挿入する画像データ要求を撮像装置２へ送信し、全てのレイアウト枠に挿入する画像データが取得されるまでステップＳ１５０を繰り返す。
【００４７】
説明を分かりやすくするために、撮像装置２で選択した二枚目画像データをプリンタ装置１へ送信中のユーザーインターフェース表示の例を図８を用いて説明する。撮像装置２はイアウト枠に挿入する二枚目の画像データとして画像２を選択している。画像２を受信中のプリンタ装置１と、画像２を送信中の撮像装置２とは、共に画像２を送受信中であることをステータスバーとして表示し、ユーザーに対し選択中であることを明示している。
【００４８】
プリンタ装置１は、全てのレイアウト枠に挿入する画像データの取得が終了すると（ステップＳ１０８でＹＥＳの場合）、全ての受信画像データを指定されたレイアウト枠内に表示する。ユーザーは印刷を開始するか、印刷を行わないかを選択する（ステップＳ１１１）。
【００４９】
説明を分かりやすくするために、撮像装置２で選択した画像データを、全てプリンタ装置１へ送信した後のユーザーインターフェース表示の例を図９を用いて説明する。全ての画像データを受信したプリンタ装置１は、一枚目画像データ挿入先として指定されたレイアウト枠に画像７、二枚目画像データ挿入先として指定されたレイアウト枠に画像２を表示している。
【００５０】
プリンタ装置１は印刷を行わない場合（ステップＳ１１１でＮＯの場合）、ＲＡＭ１０２に記憶している全受信画像データを消去する（ステップＳ１１２）。そして、画像データが空のレイアウト枠へと指定レイアウト枠を移動し（ステップＳ１０９）、ステップ１０５へ戻る。
【００５１】
プリンタ装置１は印刷を開始する場合（ステップＳ１１１でＹＥＳの場合）、撮像装置２へ画像データ取得終了を送信する（ステップＳ１１３）。撮像装置２は画像データ取得終了を受信したら（ステップＳ２０７）、フローを終了する。プリンタ装置１はステップＳ１１３で画像データ取得終了を送信した後、画像処理部１０４でＲＡＭ１０２に記憶している画像データから印刷データを作成し（ステップＳ１１４）、プリンタ装置１のプリンタエンジン１１４で印刷データのプリントを行う（ステップＳ１１５）。
【００５２】
以上説明した図４のフローに示すマルチレイアウト枠を選択してからマルチレイアウト画像の印刷を行うまでの処理を並列して示すフローチャートにおいて、プリンタ装置１のＲＡＭ１０２の画像処理用メモリマップ使用概念の一例を図１０に示す。
【００５３】
図４のフローのステップＳ２０６以前は、図１０（Ａ）のように全ての画像処理用メモリマップのアドレスは空の状態である。ステップＳ２０６とステップＳ１０６とで一枚目画像データを受信したプリンタ装置１は、図１０（Ｂ）のように画像処理用メモリマップのアドレスＡＤＲ＿００１に一枚目画像データを記憶する。
【００５４】
ステップＳ１５０を繰り返して二枚目画像データを受信したプリンタ装置１は、図１０（Ｃ）のように画像処理用メモリマップのアドレスＡＤＲ＿００２に二枚目画像データを記憶する。
【００５５】
プリンタ装置１はステップＳ１１４で図１０（Ｄ）のように、画像処理用メモリマップの空き領域を利用して画像データから印刷データを作成する。
【００５６】
以上説明した本実施の形態によれば、画像挿入先のレイアウト枠の指定は、プリンタ装置１が自動で指定するか、ユーザーがプリンタ装置１の操作キー１１１を操作して行うことになる。しかし、画像挿入先のレイアウト枠の指定はプリンタ装置１に表示したレイアウト枠内の領域にある液晶表示器１０６の一部を触れることで指定できるようにしても良い。
【００５７】
以上説明したように本実施の形態によれば、互いに通信可能なプリンタ装置と撮像装置を用いて、一枚の用紙に複数の画像が配置されたマルチレイアウト印刷データを簡便に作成することができる。
【００５８】
本実施の形態では、画像が挿入されるマルチレイアウト枠を二つとして説明したが、レイアウト枠は二つに限ったものでない。例えば、ステップＳ１０１のレイアウトフォームの選択でレイアウト枠がｎ個あるレイアウトフォームを選択し、図４のステップＳ１５０をｎ回繰り返す。すると、レイアウト枠がｎ個に画像がｎ個挿入された印刷データを作成することも可能である。
【００５９】
本実施の形態では、プリンタ装置１と撮像装置２とは有線接続されているものとして説明したが、有線接続と同様に一対一の通信リンクが確立でき、ステータスやデータの送受信を行えれば、無線接続でも構わない。
【００６０】
また、本実施の形態ではプリンタ装置１の相手機器として撮像装置２を用いて説明したが、この装置によって本願発明が限定されるものではない。画像データを表示でき、プリンタ装置と接続し印刷が行えるプリントプロトコルを持つ装置は、プリンタ装置１の相手機器になり得る。
【００６１】
また、本発明の目的は、以下の様にして達成することも可能である。まず、前述した実施形態の機能を実現するソフトウェアのプログラムコードを記録した記憶媒体（または記録媒体）を、システムあるいは装置に供給する。そして、そのシステムあるいは装置のコンピュータ（またはＣＰＵやＭＰＵ）が記憶媒体に格納されたプログラムコードを読み出し実行する。この場合、記憶媒体から読み出されたプログラムコード自体が前述した実施形態の機能を実現することになり、そのプログラムコードを記憶した記憶媒体は本発明を構成することになる。
【００６２】
また、コンピュータが読み出したプログラムコードを実行することにより、前述した実施形態の機能が実現されるだけでなく、以下のようにして達成することも可能である。即ち、読み出したプログラムコードの指示に基づき、コンピュータ上で稼働しているオペレーティングシステム（ＯＳ）などが実際の処理の一部または全部を行い、その処理によって前述した実施形態の機能が実現される場合である。ここでプログラムコードを記憶する記憶媒体としては、例えば、フレキシブルディスク、ハードディスク、ＲＯＭ、ＲＡＭ、磁気テープ、不揮発性のメモリーカード、ＣＤ−ＲＯＭ、ＣＤ−Ｒ、ＤＶＤ、光ディスク、光磁気ディスク、ＭＯなどが考えられる。また、ＬＡＮ（ローカル・エリア・ネットワーク）やＷＡＮ（ワイド・エリア・ネットワーク）などのコンピュータネットワークを、プログラムコードを供給するために用いることができる。
【００６３】
本発明を上記記憶媒体に適用する場合、その記憶媒体には、先に説明した図４に示すフローチャートに対応するプログラムコードが格納されることになる。
【図面の簡単な説明】
【００６４】
【図１】プリントシステムのプリンタ装置１と撮像装置２とを係合した図である。
【図２】プリンタ装置１の構成を示すブロック図である。
【図３】撮像装置２の構成を示すブロック図である。
【図４】プリントシステムのプリンタ装置１と撮像装置２との間で、マルチレイアウト枠を選択してからマルチレイアウト画像の印刷を行うまでの処理を並列して示すフローチャートである。
【図５】一枚目画像データを挿入するレイアウト枠と、一枚目画像データを選択中のユーザーインターフェースの表示例を示す図である。
【図６】撮像装置２で選択した一枚目画像データをプリンタ装置１へ送信中のユーザーインターフェースの表示例を示す図である。
【図７】撮像装置２で選択した一枚目画像データをプリンタ装置１へ送信した後のユーザーインターフェースの表示例を示す図である。
【図８】撮像装置２で選択した二枚目画像データをプリンタ装置１へ送信中のユーザーインターフェースの表示例を示す図である。
【図９】撮像装置２で選択した画像データを、全てプリンタ装置１へ送信した後のユーザーインターフェースの表示例を示す図である。
【図１０】図４のフローチャートにおけるプリンタ装置１のＲＡＭ１０２の画像処理用メモリマップ使用概念の一例を示す図である。
【符号の説明】
【００６５】
１  プリンタ装置１
２  撮像装置２
１５０  接続ケーブル
【図１】
2009129343.tif 000003
【図２】
2009129343.tif 000004
【図３】
2009129343.tif 000005
【図４】
2009129343.tif 000006
【図５】
2009129343.tif 000007
【図６】
2009129343.tif 000008
【図７】
2009129343.tif 000009
【図８】
2009129343.tif 000010
【図９】
2009129343.tif 000011
【図１０】
2009129343.tif 000012